(57)【要約】【課題】本発明の実施形態はシーブ装置内への異物の侵入を防止する異物侵入防止装置を提供することを目的とする。【解決手段】本発明の実施形態に係るエレベータ異物侵入防止装置は、長方形の平板８ａと、平板８ａに対して垂直かつ平板長手方向に所定間隔をもって配置される複数の仕切板８ｂと、複数の仕切板８ｂ同士の間隔に設けられ、エレベータの乗りかごとカウンターウェイトとの下部を連結するように吊り下げられる複数本のコンペンロープが１本ごとに収まる径を持つ半円の溝を有するロープガイド８ｃとを備える。【選択図】図４
2013121855.tif 000002
【特許請求の範囲】
【請求項１】
長方形の平板と、
前記平板に対して垂直かつ平板長手方向に所定間隔をもって配置される複数の仕切板と、
前記複数の仕切板同士の間隔に設けられ、エレベータの乗りかごとカウンターウェイトとの下部を連結するように吊り下げられる複数本のコンペンロープが１本ごとに収まる径を持つ半円の溝を有するロープガイドと、
を備えることを特徴とするエレベータ異物侵入防止装置。
【請求項２】
前記エレベータ異物侵入防止装置は、前記コンペンロープを巻きかけるコンペンシーブを保護するシーブ枠の上部両端に設置されることを特徴とする請求項１に記載のエレベータ異物侵入装置。
【請求項３】
前記異物侵入防止部材の前記仕切板はその上部から所定距離形成される切り欠き部を有することを特徴とする請求項１に記載のエレベータ異物侵入防止装置。
【請求項４】
前記異物侵入防止部材の前記仕切板の切り欠き部の先端部は丸穴形状であることを特徴とする請求項３に記載のエレベータ異物侵入防止装置。
【発明の詳細な説明】
【技術分野】
【０００１】
本発明の実施形態は、シーブ装置内への異物の侵入を防止する異物侵入防止装置に関する。
【背景技術】
【０００２】
一般的にエレベータには、トラクションシーブ、コンペンシーブ、２：１ローピングシステムにおける、乗りかごシーブや吊合い重りシーブなど、多くのシーブが用いられている。これらのシーブにはローブが巻き掛けられることから、シーブ外周面にはロープ径にあったシーブ溝が形成されている。そして、ロープはこのシーブ溝に沿って巻き掛けられている。
【０００３】
しかし、これらロープが何らかの原因によりシーブ溝から外れると、ロープ同士の絡まりが生じる可能性がある。そのため、建築基準法ではロープがシーブ溝から外れないように、ロープ外れ止め装置を設けることを定めている。
【０００４】
ここで、ロープがシーブ溝から外れる原因としては、シーブ溝にゴミ等の異物が侵入することが考えられる。そのため、一般的には、シーブの上部には、落下物の侵入を防ぐための保護カバーが設けられている。
【先行技術文献】
【特許文献】
【０００５】
【特許文献１】特開２００９−１５５０２６号公報
【発明の概要】
【発明が解決しようとする課題】
【０００６】
しかしながら、上記のような保護カバーを設けたとしても、シーブ上方投影面の全体をカバーすることができないものであり、ロープがシーブに巻き掛かる部分や、ロープ自体をカバーすることができていないものである。すなわち、シーブのロープ巻き掛かり部分のわずかな隙間から侵入する異物や、ロープ自体に絡まった異物等に対してはシーブ溝への侵入を防止できていないのが現状である。
【０００７】
そこで、本発明の実施形態では、従来よりもシーブ溝への異物侵入防止効果が高い異物侵入防止装置の提供を目的とする。
【課題を解決するための手段】
【０００８】
上記目的を達成するために、本発明の実施形態に係る異物侵入防止装置は、長方形の平板と、前記平板に対して垂直かつ平板長手方向に所定間隔をもって配置される複数の仕切板と、前記複数の仕切板同士の間隔に設けられ、エレベータの乗りかごとカウンターウェイトとの下部を連結するように吊り下げられる複数本のコンペンロープが１本ごとに収まる径を持つ半円の溝を有するロープガイドと、を備えることを特徴とする。
【図面の簡単な説明】
【０００９】
【図１】本発明の実施形態に係るシーブ装置を示す正面図である。
【図２】本発明の実施形態に係るシーブ装置の上方から見た上視図である。
【図３】本発明の実施形態に係るロープ外れ止めの取り付けを示す概略図である。
【図４】（ａ）本発明の実施形態に係る異物侵入防止部材を示す構成図である。（ｂ）本発明の実施形態に係る異物侵入防止部材の構成を示す詳細図である。
【図５】本発明の実施形態に係る異物侵入防止部材の取り付けを示す構成図である。
【図６】本発明の実施形態に係る仕切板の別の構成を示す構成図である。
【発明を実施するための形態】
【００１０】
以下、本発明の実施形態について図面を参照して説明する。
【００１１】
図１は、本発明の実施形態に係るシーブ装置を示す正面図である。図１に示すようにシーブ装置は一般的に、ロープ１を巻きかけるシーブ２と、シーブ２の回転軸であるシャフト３と、軸受４と、シーブ２を両側面から保護するシーブ枠５と、シーブ２からロープ１が外れないようにシーブ枠５に取り付けられるロープ外れ止め６と、上方からの落下物の侵入を防ぐ保護カバー７とを備えている。以下、それぞれの構成物について詳細に説明する。
【００１２】
シーブ２には、図２に示すように、その外周面２ａにロープ１の径に合った溝（以下、シーブ溝という。）２ｂが、巻きかけられるロープ１の本数に応じて複数形成されている。シーブ２の中心には圧入によってシャフト３及び軸受４が固定されている。このシャフト３の両端は後述するシーブ枠５の側板５ａによって支持されている。シーブ２は軸受４の回転によってシャフト３を中心に自由に回転する。
【００１３】
図１及び図２に示すようにシーブ枠５は、シーブ２を保護するための側板５ａ及び側板５ａを補強支持するための底板５ｂによって構成される。２枚の側板５ａそれぞれの中心付近には穴が設けられており、この穴に前述したシャフト３の両端が嵌合される。なお、シャフト３は例えばキープレート１１などの固定要素によってシーブ枠５に固定される。
【００１４】
ロープ外れ止め６は、図１乃至図３に示すように、ロープ１がシーブ２に対して巻きかかる始点及び終点部分（以下、ロープ噛み込み部という。）の付近に設けられ、さらに、ロープ外れ止め６はロープ１との間に形成される隙間が所定値以下となるように、シーブ５の側板５ａに固定される。
【００１５】
保護カバー７は、図１に示すように、シーブ２を上方からの落下物等の異物から保護するために、シーブ枠５の側板５ａのそれぞれの上部に跨るようにして固定され、シーブ２を保護している。なお、この保護カバー７はシーブ枠５の上方のすべてを覆うものではなく、ロープ１がシーブ２に巻きかかるためのスペースを確保するために、側板５ａの上部の左右両端の一部については保護カバー７による保護は行っていない。
【００１６】
そして、本実施形態では、この保護カバー７による保護がなされていないスペースから異物が侵入することを防ぐ構成を以下に説明する。
【００１７】
まず、異物侵入防止部材８の構成について説明する。図２に示すように、本実施形態に係るシーブ枠５には異物侵入防止部材８が取り付けられている。図４（ａ）に示すように、異物侵入防止部材８の構成としては、まず長方形の平板８ａと、平板８ａから垂直に伸びる複数の仕切板８ｂ、仕切板８ｂで仕切られている部分に備えられるＵ字溝形状のロープガイド部８ｃとからなる。図４（ｂ）に示すように、仕切板８ｂは、平板８ａの長手方向に対して均等な間隔で固定されており、シーブ溝２ｂの数に応じた枚数が配置される。また、ロープガイド部８ｃのＵ字溝部はロープ１とほぼ同様の径を持つように半円加工がなされている。また、このロープガイド部８ｃの材質は耐摩耗性を有する樹脂製であり、例えばウレタン等で形成されている。平板８ａの長手方向両端部には、締結部材によってシーブ枠５に固定するための取付穴８ｄが設けられている。
【００１８】
この異物侵入防止部材８のシーブ枠５への取り付け方法については特に限定しないが、本実施形態においては次のようにして異物侵入防止部材８の取り付けを行っている。異物侵入防止部材８の平板８ａの長手方向長さはシーブ枠５の側板５ａ同士の間隔とほぼ同様の長さを有している。そして、平板８ａの長手方向両端部に設けられる取付穴８ｄをボルト等の締結部材によってシーブ枠５に固定している。具体的には、ロープガイド部８ｃにロープ１がガイドされるように、一対の側板５ａに跨るようにしてシーブ枠５の側部に固定される。
【００１９】
この異物侵入防止部材８は、シーブ２のロープ噛み込み部よりも手前に固定される。例えば、本実施形態においてはロープ噛み込み部よりも上方であるシーブ枠５のロープ侵入口付近、すなわち、図１、図２に示すように保護カバー７によってカバーされていない側板５ａの上部の左右両端の一部に設置固定される。さらに、図５に示すように、ロープガイド部８ｃのＵ字溝部分にロープ１が１本ずつ収まるように取り付けられる。すなわち、シーブ溝２ｂとロープガイド部とにロープ１が通るようにシーブ枠５に異物侵入防止部材８が取り付けられる。
【００２０】
次に本実施形態に係る異物侵入防止装置の作用について説明する。
【００２１】
通常、昇降路内に異物が侵入した場合、ロープ１に付着したり絡まる恐れがある。そしてロープ１の複数本に跨って異物が付着した場合、ロープ１がシーブ２から外れてしまう。そこで、本実施形態に係る異物侵入防止部材８をシーブ枠５に設置固定することにより、異物がロープ１とともにシーブ２に噛み込む前に、異物を異物侵入防止部材８により、ロープ１から異物を強制的に引き離すことが可能となる。
【００２２】
以上のように、本実施形態に係るエレベータの異物侵入防止装置によれば、シーブ枠５の上部に固定される保護カバー７だけでは保護しきれないシーブ２への異物の侵入についても除去することが可能となり、シーブ溝２ｂからロープ１が外れることを防止することができる。
【００２３】
また、その他にも、異物侵入防止部材８の構成として図６に示すようなものとしてもよい。すなわち、上述した仕切板８ｂの構成として切り欠き９が設けられ、その切り欠き９の先端部には丸穴１０が形成されるものとすることができる。この切り欠き９及び丸穴１０は、異物侵入防止部材８を構成する仕切板８ｂの全てに形成されるものとする。この場合、ロープガイド部８ｃの有無は問わないが、ロープガイド部８ｃを有する場合には、仕切板８ｂの構成と同様にロープガイド部８ｃについても切り欠き９及び丸穴１０が形成されるものとする。
【００２４】
このような構成とすることにより、ロープ１がこの異物侵入防止部材８を通過する際に、ロープ１に付着した異物が切り欠き９に沿って収集され、丸穴１０に回収されることとなる。さらに、切り欠き９の先端が丸穴１０となっていることにより、異物が一旦、この異物侵入防止部材８に回収されると、異物は丸穴１０の開口部に引っかかり容易に抜けることはなくなる。また、エレベータのロープ１は、乗りかごが昇降する度に移動方向が反転して異物侵入防止部材８を通過するため、ロープ１が下方向に移動している間に回収した異物が、ロープ１の移動方向が反転して上方向に移動した場合に異物が再びロープ１に付着する可能性を低減させることができる。
【符号の説明】
【００２５】
１…ロープ
２…シーブ
３…シャフト
４…軸受
５…シーブ枠
６…ロープ外れ止め
７…保護カバー
８…異物侵入防止部材
９…切り欠き
１０…丸穴
１１…キープレート
【図１】
2013121855.tif 000003
【図２】
2013121855.tif 000004
【図３】
2013121855.tif 000005
【図４】
2013121855.tif 000006
【図５】
2013121855.tif 000007
【図６】
2013121855.tif 000008